(57)【要約】【課題】本体起動時にハンドル部に伝わる電動送風機の回転トルクを軽減し、ハンドル部を握る手元への負担が小さい、使い勝手のよい電気掃除機を提供する。【解決手段】吸引風を発生させる電動送風機３を有する本体部１と、前記本体部１に設けられたハンドル部２と、塵埃を吸引する開口部５を有すると共に回転自在の接続部６を介して前記本体部１に接続される吸込具４とを備え、前記電動送風機３の回転軸３ａと、前記接続部６の回転軸６ａとの間に角度を設けたもので、本体部１の起動時に電動送風機３から発生し、ハンドル部２に伝わる回転トルクが軽減し、ハンドル部２を握る手元への負担が小さくなり、より使い勝手のよい電気掃除機を提供することができる。【選択図】図１
2008023214.tif 000002
【特許請求の範囲】
【請求項１】
吸引風を発生させる電動送風機を有する本体部と、前記本体部に設けられたハンドル部と、塵埃を吸引する開口部を有すると共に回転自在の接続部を介して前記本体部に接続される吸込具とを備え、前記電動送風機の回転軸と、前記接続部の回転軸との間に角度を設けたことを特徴とする電気掃除機。
【請求項２】
電動送風機の回転軸と接続部の回転軸との間の角度を、約３０〜９０度の範囲に設定したことを特徴とする請求項１に記載の電気掃除機。
【請求項３】
吸引風を発生させると共に互いに異なる方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を同一方向になるように配したことを特徴とする電気掃除機。
【請求項４】
吸引風を発生させると共に同じ方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を互いに向き合うように配したことを特徴とする電気掃除機。
【発明の詳細な説明】
【技術分野】
【０００１】
本発明は、電気掃除機に関するもので、特に、アップライト型の電気掃除機の使用性向上に関するものである。
【背景技術】
【０００２】
従来のこの種の電気掃除機として、図４に示すようなものがあった。
【０００３】
図４において、１０１は本体部、１０２はハンドル部である。縦長の本体部１０１内部の下方には、吸引風を発生させる電動送風機１０３が配置されている。
【０００４】
吸込具１０４は、本体部１０１の下部に着脱自在に取り付けられており、被掃除面上の塵埃を吸引する開口部１０５を底面に有している。１０６は、吸込具１０３と本体部１０１を接続する接続部で、吸込具１０３に回転自在に設けられている（例えば、特許文献１参照）。
【特許文献１】特開２００５−１６８６２３号公報
【発明の開示】
【発明が解決しようとする課題】
【０００５】
しかしながら、上記従来の電気掃除機の構成では、電動送風機１０３の回転軸（図示せず）と、接続部１０６の回転軸１０６ａが略平行であるため、本体部１０１の起動時に発生する電動送風機１０３の回転トルクによって、瞬間的に接続部１０６も同一方向に回転して、ハンドル部１０２を握る手元に負担がかかっていた。特に近年の吸込み性能の向上に伴い、電動送風機１０３の回転トルクが大きくなり、手元への負担が益々大きくなるという課題があった。
【０００６】
本発明は、上記従来の課題を解決するもので、本体部の起動時に、ハンドル部を握った手元に加わる負担を軽減し、使い勝手の良い電気掃除機を提供することを目的とするものである。
【課題を解決するための手段】
【０００７】
上記目的を達成するために本発明の電気掃除機は、吸引風を発生させる電動送風機を有する本体部と、前記本体部に設けられたハンドル部と、塵埃を吸引する開口部を有すると共に回転自在の接続部を介して前記本体部に接続される吸込具とを備え、前記電動送風機の回転軸と、前記接続部の回転軸との間に角度を設けたもので、本体部の起動時に電動送風機から発生し、ハンドル部に伝わる回転トルクが軽減し、ハンドル部を握る手元への負担が小さくなり、より使い勝手のよい電気掃除機を提供することができる。
【０００８】
また、本発明の電気掃除機は、吸引風を発生させると共に互いに異なる方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を同一方向になるように配したもので、本体部の起動時に２つの電動送風機から発生する回転トルクが互いに打ち消しあうため、ハンドル部を握る手元への負担が小さくなり、より使い勝手のよい電気掃除機を提供することができる。
【０００９】
また、本発明の電気掃除機は、吸引風を発生させると共に同じ方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を互いに向き合うように配したもので、本体部の起動時に２つの電動送風機から発生する回転トルクが互いに打ち消しあうため、ハンドル部を握る手元への負担が小さくなり、より使い勝手のよい電気掃除機を提供することができる。
【発明の効果】
【００１０】
本発明の電気掃除機は、本体部の起動時に、ハンドル部を握る手元に加わる負担を軽減し、より使い勝手が良いものである。
【発明を実施するための最良の形態】
【００１１】
第１の発明は、吸引風を発生させる電動送風機を有する本体部と、前記本体部に設けられたハンドル部と、塵埃を吸引する開口部を有すると共に回転自在の接続部を介して前記本体部に接続される吸込具とを備え、前記電動送風機の回転軸と、前記接続部の回転軸との間に角度を設けたもので、本体部の起動時に電動送風機から発生し、ハンドル部に伝わる回転トルクが軽減し、ハンドル部を握る手元への負担が小さくなり、より使い勝手のよい電気掃除機を提供することができる。
【００１２】
第２の発明は、特に、第１の発明の電動送風機の回転軸と接続部の回転軸との間の角度を、約３０〜９０度の範囲に設定したもので、本体部の起動時に電動送風機から発生し、ハンドル部に伝わる回転トルクが約７０％以下に軽減し、ハンドル部を握る手元への負担が小さくなり、より使い勝手のよい電気掃除機を提供することができる。
【００１３】
第３の発明は、吸引風を発生させると共に互いに異なる方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を同一方向になるように配したもので、本体部の起動時に２つの電動送風機から発生する回転トルクが互いに打ち消しあうため、ハンドル部を握る手元への負担が小さくなり、より使い勝手のよい電気掃除機を提供することができる。
【００１４】
第４の発明は、吸引風を発生させると共に同じ方向に回転する電動送風機を２個有する本体部と、前記本体部に設けられたハンドル部と、塵埃を吸引する開口部を有すると共に回転自在の接続部を介して前記本体部に接続される吸込具とを備え、前記２個の電動送風機を互いに向き合うように配したもので、本体部の起動時に２つの電動送風機から発生する回転トルクが互いに打ち消しあうため、ハンドル部を握る手元への負担が小さくなり、より使い勝手のよい電気掃除機を提供することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気掃除機の側面図である。
【００１７】
図１において、本実施の形態における電気掃除機は、縦長で内部下方に、吸引風を発生させる電動送風機３が配置された本体部１と、本体部１の上方に取り付けられたハンドル部２と、被掃除面上に存在する塵埃を吸引する開口部５を底面に有し、本体部１の下部に着脱自在に取り付けられた吸込具４から構成されている。
【００１８】
６は、吸込具４と本体部１を接続する回転自在の接続部で、電動送風機３の回転軸３ａと、接続部６の回転軸６ａとの間の角度を、３０〜９０度の範囲内に角度に設定するようにしている。本実施の形態では、約８０度の角度を設けている。
【００１９】
本実施の形態における電気掃除機は以上のように構成されているので、本体部１の起動時に電動送風機３から発生する回転トルクは、接続部６にはほとんど伝わらないため、ハンドル部２に伝わる回転トルクが大幅に軽減し、ハンドル部２を握る手元への負担が小さくなり、使い勝手を向上させることができる。
【００２０】
（実施の形態２）
図２（ａ）は、本発明の第２の実施の形態における電気掃除機の側面図、（ｂ）は、（ａ）のＡ−Ａ断面図、（ｃ）は、（ａ）のＢ−Ｂ断面図である。なお、上記実施の形態と同一部分については同一符号を付してその説明を省略する。
【００２１】
本実施の形態における電気掃除機は、図２に示すように、吸引風を発生させる第１の電動送風機７と、第２の電動送風機８とを、略同一軸上で同一方向（本実施の形態では、第１の電動送風機７のファン部７ｂと、第２の電動送風機８のファン部８ｂの両方が上側）に配置すると共に、第１の電動送風機７の回転方向７ａは、第２の電動送風機８の回転方向８ａと反対方向としたものである。
【００２２】
本実施の形態における電気掃除機は以上のように構成されているので、本体部１の起動時に第１の電動送風機７から発生する回転トルクと、第２の電動送風機８から発生する回転トルクとが互いに打ち消しあい、接続部６にはほとんど伝わらないため、ハンドル部２に伝わる回転トルクが大幅に軽減し、ハンドル部２を握る手元への負担が小さくなり、使い勝手を向上できる。
【００２３】
（実施の形態３）
図３（ａ）は、本発明の第３の実施の形態における電気掃除機の側面図、（ｂ）は、（ａ）のＣ−Ｃ断面図、（ｃ）は、（ａ）のＤ−Ｄ断面図である。なお、上記実施の形態と同一部分については同一符号を付してその説明を省略する。
【００２４】
本実施の形態における電気掃除機は、図３に示すように、吸引風を発生させる第１の電動送風機９と、第２の電動送風機１０とを、略同一軸上で互いに向き合う方向（本実施の形態では、第１の電動送風機９のファン部９ｂと、第２の電動送風機１０のファン部１０ｂを対向させる）に配置している。ここで、第１の電動送風機９の回転方向９ａは、第２の電動送風機１０の回転方向１０ａと同一方向としている。
【００２５】
本実施の形態における電気掃除機は以上のように構成されているので、本体部１の起動時に第１の電動送風機９から発生する回転トルクと、第２の電動送風機１０から発生する回転トルクとが互いに打ち消しあい、接続部６にはほとんど伝わらないため、ハンドル部２に伝わる回転トルクが大幅に軽減し、ハンドル部２を握る手元への負担が小さくなり、使い勝手を向上できる。
【産業上の利用可能性】
【００２６】
以上のように、本発明にかかる電気掃除機は、回転トルクの大きな電動送風機を用いて吸込み性能を向上させたアプライト型の電気掃除機においても、ハンドル部を握る手元に加わる負担が軽く、より使い勝手が良いもので、家庭用、業務用のアプライト型の電気掃除機に広く適用できる。
【図面の簡単な説明】
【００２７】
【図１】本発明の第１の実施の形態における電気掃除機の側面図
【図２】（ａ）本発明の第２の実施の形態における電気掃除機の側面図、（ｂ）（ａ）のＡ−Ａ断面図、（ｃ）（ａ）のＢ−Ｂ断面図
【図３】（ａ）本発明の第３の実施の形態における電気掃除機の側面図、（ｂ）（ａ）のＣ−Ｃ断面図、（ｃ）（ａ）のＤ−Ｄ断面図
【図４】従来の電気掃除機の側面図
【符号の説明】
【００２８】
１  本体部
２  ハンドル部
３  電動送風機
３ａ、６ａ  回転軸
４  吸込具
５  開口部
６  接続部
【図１】
2008023214.tif 000003
【図２】
2008023214.tif 000004
【図３】
2008023214.tif 000005
【図４】
2008023214.tif 000006